(57)【要約】  異なる検出方法を使用して、送信された空間変調（ＳＭ）ストリームにおけるアンテナ選択（ＡＳ）およびデータビットが受信機において検出されることを可能にし得る方法およびシステム。例示的実施形態において、ＡＳストリームに対する符号化は、送信機において、データストリームに対する符号化とは別個で実行され、受信機が、ＡＳビットに対する１つのタイプの検出、ならびに、データビットに対する複雑度が減少したタイプのＭＩＭＯ検出を使用することを可能にする。
2021516506.tif 000002
【特許請求の範囲】
【請求項１】
送信機で実行される方法であって、
着信データビットストリームの第１の部分を符号化すべく、最初に符号化されたビットストリームに前方誤り訂正（ＦＥＣ）符号化を適用する段階と、
前記着信データビットストリームの前記第１の部分から独立して、第２の部分を符号化すべく、アンテナ選択（ＡＳ）ビットストリームにＦＥＣ符号化を適用する段階と、
複数の空間ストリームの各々をそれぞれのシンボルに符号化する段階であって、各空間ストリームは前記最初に符号化されたビットストリームの異なるそれぞれの部分である、符号化する段階と、
前記シンボルをそれぞれの送信アンテナセットで送信する段階であって、各シンボルを送信するそれぞれの前記送信アンテナセットは、前記ＡＳビットストリームからのＡＳビットにより決定される、送信する段階と
を備える、方法。
【請求項２】
前記複数の空間ストリームの各々をそれぞれのシンボルに符号化する段階は、
前記複数の空間ストリームの各々におけるビットを符号化する段階と、
前記複数の空間ストリームの各々におけるビットをコンスタレーションポイントにマッピングする段階と、
各空間ストリームからの前記コンスタレーションポイントをそれぞれの前記シンボルにマッピングする段階と
を備える、請求項１に記載の方法。
【請求項３】
前記シンボルは、直交周波数分割多重化（ＯＦＤＭ）シンボルである、請求項１から２のいずれかに記載の方法。
【請求項４】
前記ＡＳビットは、前記ＯＦＤＭシンボルにおけるサブキャリアごとに固有のサブキャリアである、請求項３に記載の方法。
【請求項５】
前記方法は、データ物理層集中プロシージャ（ＰＬＣＰ）プロトコルデータユニット（ＰＰＤＵ）を生成および送信するためのものであり、前記方法はさらに、
前記ＰＰＤＵのプリアンブルに複数のロングトレーニングフィールド（ＬＴＦ）を有する段階であって、前記プリアンブルの前記ＬＴＦの数は、送信アンテナの総数ＮＴに対応する、有する段階を備え、
送信アンテナの総数ＮＴは、前記データＰＰＤＵを送信するのに使用される送信ストリームの数Ｎより大きい、請求項１から４のいずれかに記載の方法。
【請求項６】
前記シンボルのパイロットサブキャリアは、前記ＡＳビットに従って、それぞれの送信アンテナセットにマッピングされる、請求項１から５のいずれかに記載の方法。
【請求項７】
メモリと、前記メモリに結合された処理デバイスとを備える処理システムであって、前記処理デバイスは、
着信データビットストリームの第１の部分を符号化すべく、最初に符号化されたビットストリームに前方誤り訂正（ＦＥＣ）符号化を適用することと、
前記着信データビットストリームの前記第１の部分から独立して、第２の部分を符号化すべく、アンテナ選択（ＡＳ）ビットストリームにＦＥＣ符号化を適用することと、
複数の空間ストリームの各々をそれぞれのシンボルに符号化することであって、各空間ストリームは前記最初に符号化されたビットストリームの異なるそれぞれの部分である、符号化することと、
前記シンボルをそれぞれの送信アンテナセットで送信することであって、各シンボルを送信するそれぞれの前記送信アンテナセットは、前記ＡＳビットストリームからのＡＳビットにより決定される、送信することと
を行うように構成される、処理システム。
【請求項８】
前記処理デバイスは、
前記複数の空間ストリームの各々におけるビットを符号化することと、
前記複数の空間ストリームの各々におけるビットをコンスタレーションポイントにマッピングすることと、
各空間ストリームからの前記コンスタレーションポイントをそれぞれの前記シンボルにマッピングすることと
により、前記複数の空間ストリームの各々をそれぞれのシンボルに符号化するように構成される、請求項７に記載の処理システム。
【請求項９】
前記シンボルは、直交周波数分割多重化（ＯＦＤＭ）シンボルである、請求項７から８のいずれかに記載の処理システム。
【請求項１０】
前記ＡＳビットは、前記ＯＦＤＭシンボルにおけるサブキャリアごとに固有のサブキャリアである、請求項９に記載の処理システム。
【請求項１１】
前記処理デバイスは、前記符号化を使用して、データ物理層集中プロシージャ（ＰＬＣＰ）プロトコルデータユニット（ＰＰＤＵ）を生成することと、前記送信を使用して、前記ＰＰＤＵをそれぞれの前記送信アンテナセットに送信することとを行うように構成されており、
前記処理デバイスはさらに、
前記ＰＰＤＵのプリアンブルに複数のロングトレーニングフィールド（ＬＴＦ）を含むように構成され、前記プリアンブルの前記ＬＴＦの数は、送信アンテナの総数ＮＴに対応し、
送信アンテナの総数ＮＴは、前記データＰＰＤＵを送信するのに使用される送信ストリームの数Ｎより大きい、請求項７から１０のいずれかに記載の処理システム。
【請求項１２】
前記シンボルのパイロットサブキャリアは、前記ＡＳビットに従って、それぞれの送信アンテナセットにマッピングされる、請求項７から１１のいずれかに記載の処理システム。
【請求項１３】
各々が受信機の複数のアンテナを介して受信された複数の空間変調ストリームを処理する方法であって、
アンテナ選択（ＡＳ）ビットを検出すべく、最大尤度（ＭＬ）対数尤度比（ＬＬＲ）ベースの検出を前記複数の空間変調ストリームに適用する段階と、
前記複数のＳＭ変調ストリームを復号のためにそれぞれのストリームに分離すべく、多入力多出力（ＭＩＭＯ）検出を適用する段階であって、前記ＭＩＭＯ検出は検出された前記ＡＳビットに基づき、ＭＬベースの検出以外の検出を使用する、適用する段階と、
それぞれの前記ストリームを復号する段階と
を備える、方法。
【請求項１４】
復号する前記段階は、
コンスタレーションマッピング解除を実行する段階と、
ビットデインターリービングを実行する段階と
を有する、請求項１３に記載の方法。
【請求項１５】
前記ＭＩＭＯ検出は、Ｍｉｎｉｍｕｍ  Ｍｉｎ  Ｓｑｕａｒｅ  Ｅｒｒｏｒ（ＭＭＳＥ）検出またはＺｅｒｏ  Ｆｏｒｃｉｎｇ（ＺＦ）検出を使用して実行される、請求項１３から１４のいずれかに記載の方法。
【請求項１６】
前記ＡＳビットの前記ＭＬ  ＬＬＲ検出は、受信された前記複数の空間変調ストリームと二位相偏移キーイング（ＢＰＳＫ）コンスタレーションとの間でユークリッド距離計算を使用して実行される、請求項１３から１５のいずれかに記載の方法。
【請求項１７】
メモリと、前記メモリに結合された処理デバイスとを備える処理システムであって、前記処理デバイスは、
アンテナ選択（ＡＳ）ビットを検出すべく、最大尤度（ＭＬ）対数尤度比（ＬＬＲ）ベースの検出を、複数の受信機アンテナで受信された複数の空間変調ストリームに適用することと、
前記複数のＳＭ変調ストリームを復号のためにそれぞれのストリームに分離すべく、多入力多出力（ＭＩＭＯ）検出を適用することであって、前記ＭＩＭＯ検出ＭＩＭＯ検出は検出された前記ＡＳビットに基づき、ＭＬベースの検出以外の検出を使用する、適用することと、
それぞれの前記ストリームを復号することと
を行うように構成される、処理システム。
【請求項１８】
前記処理デバイスはさらに、
コンスタレーションマッピング解除を実行することと、
ビットデインターリービングを実行することと
により、前記復号を実行するように構成される、請求項１７に記載の処理システム。
【請求項１９】
前記ＭＩＭＯ検出は、Ｍｉｎｉｍｕｍ  Ｍｉｎ  Ｓｑｕａｒｅ  Ｅｒｒｏｒ（ＭＭＳＥ）検出またはＺｅｒｏ  Ｆｏｒｃｉｎｇ（ＺＦ）検出を使用して実行される、請求項１７から１８のいずれかに記載の処理システム。
【請求項２０】
前記ＡＳビットの前記ＭＬ  ＬＬＲ検出は、受信された前記複数の空間変調ストリームと二位相偏移キーイング（ＢＰＳＫ）コンスタレーションとの間でユークリッド距離計算を使用して実行される、請求項１７から１９のいずれかに記載の処理システム。
【発明の詳細な説明】
【技術分野】
【０００１】
［関連出願の相互参照］
本開示は、２０１８年３月１６日に出願された「ＳＩＭＰＬＩＦＩＥＤ  ＤＥＴＥＣＴＩＯＮ  ＦＯＲ  ＳＰＡＴＩＡＬ  ＭＯＤＵＬＡＴＩＯＮ  ＡＮＤ  ＳＰＡＣＥ−ＴＩＭＥ  ＢＬＯＣＫ  ＣＯＤＩＮＧ  ＷＩＴＨ  ＡＮＴＥＮＮＡ  ＳＥＬＥＣＴＩＯＮ」と題する米国仮特許出願第６２／６４４，２７９号、および２０１８年９月１２日に出願された「ＳＩＭＰＬＩＦＩＥＤ  ＤＥＴＥＣＴＩＯＮ  ＦＯＲ  ＳＰＡＴＩＡＬ  ＭＯＤＵＬＡＴＩＯＮ  ＡＮＤ  ＳＰＡＣＥ−ＴＩＭＥ  ＢＬＯＣＫ  ＣＯＤＩＮＧ  ＷＩＴＨ  ＡＮＴＥＮＮＡ  ＳＥＬＥＣＴＩＯＮ」と題する米国特許出願第１６／１２９，０４６号からの優先権を主張し、当該出願の内容はその全体が参照によって本明細書に組み込まれる。
【０００２】
本開示は、空間変調および時空間ブロック符号化を使用した通信信号を送信および受信する方法およびシステムに関連する。
【背景技術】
【０００３】
接続デバイスの拡散は、地理的エリア域内に集中するデバイスの数が常に増加することをサポートし得る無線ネットワークに対する必要を増大させている。多くのヘテロジニアスデバイスは、高密度のデプロイシナリオにおいてサポートされる必要がある。シナリオは、例えば、パーソナルコンピュータなどの高パワーデバイス、ならびにＩｎｔｅｒｎｅｔ  ｏｆ  Ｔｈｉｎｇ（ＩｏＴ）デバイスおよびウェアラブルデバイスなどの低電力デバイスを含む。
【０００４】
複数のアンテナを使用する多入力多出力（ＭＩＭＯ）システムは、ネットワークキャパシティを増加させ得る。空間変調（ＳＭ）は、ネットワーク送信機の利用可能な送信（ＴＸ）アンテナのサブセットのみが任意の時間インスタンスにおいてアクティブであるＭＩＭＯの一種である。ＳＭは、複雑度の低いＭＩＭＯの実装（例えば、ＩｏＴおよびウェアラブルデバイスにメッセージを送信することを含む）において有用であり得、送信機においてチャネルステート情報を必要とすることなく開ループ様式で動作し得る。
【０００５】
少なくともいくつかのＳＭスキームにおいて、例えば、Ａ．Ｈｅｌｍｙ，ｅｔ．ａｌ．，「Ｓｐａｔｉａｌ  Ｍｏｄｕｌａｔｉｏｎ  ｆｏｒ  Ｉｍｐｒｏｖｅｄ  Ｐｅｒｆｏｒｍａｎｃｅ  ｏｆ  Ｎｅｘｔ−Ｇｅｎｅｒａｔｉｏｎ  ＷＬＡＮ」，ＷＣＮＣ  ２０１７，Ｓａｎ  Ｆｒａｎｃｉｓｃｏ，ＣＡ  ＵＳＡに示されるように、アンテナ選択は、別個のアンテナ選択ストリームに含まれるアンテナ選択（ＡＳ）ビットに従って実行される。ＡＳビットは、受信機において予め画定されるまたは既知であるものではない。したがって、受信機は最大尤度（ＭＬ）タイプの検出に依存してＡＳビットを決定する。Ａ．Ｈｅｌｍｙ，ｅｔ．ａｌ．は、データストリームおよびＡＳストリームの両方に対する前方誤り訂正（ＦＥＣ）符号化に適用する送信機を説明する。その結果、受信機も同一のＭＬ検出を適用してデータストリームのビットを復旧しなければならない。ＭＬ検出の複雑度は、特に１６‐ＱＡＭまたはそれより上の変調および符号化スキーム（ＭＣＳ）で非常に高い。
【０００６】
従って、受信機で受信されるＡＳおよびデータビットが、異なる検出方法を使用して復旧されることを可能にするＳＭシステムへの必要が存在する。
【発明の概要】
【０００７】
送信されたＳＭストリームにおけるＡＳおよびデータビットが異なる検出方法を使用して受信機で検出されることを可能にし得る方法およびシステムが、本開示において説明される。例示的実施形態において、ＡＳストリームに対する符号化は、送信機において、データストリームに対する符号化とは別個で実行され、受信機が、ＡＳビットに対する１つのタイプの検出（例えば、ＭＬ検出）、ならびに、データビットに対する複雑度が減少したタイプのＭＩＭＯ検出（例えば、Ｍｉｎｉｍｕｍ  Ｍｉｎ  Ｓｑｕａｒｅ  Ｅｒｒｏｒ（ＭＭＳＥ）検出またはＺｅｒｏ  Ｆｏｒｃｉｎｇ（ＺＦ）検出）を使用することを可能にする。
【０００８】
第１の態様によると、送信機で実行される方法は、
着信データビットストリームの第１の部分を符号化すべく、最初に符号化されたビットストリームに前方誤り訂正（ＦＥＣ）符号化を適用する段階と、
着信データビットストリームの第１の部分から独立して、第２の部分を符号化すべく、アンテナ選択（ＡＳ）ビットストリームにＦＥＣ符号化を適用する段階と、
複数の空間ストリームの各々をそれぞれのシンボルに符号化する段階であって、各空間ストリームは最初に符号化されたビットストリームの異なるそれぞれの部分である、符号化する段階と、
シンボルをそれぞれの送信アンテナセットで送信する段階であって、各シンボルを送信するそれぞれの送信アンテナセットは、ＡＳビットストリームからのＡＳビットにより決定される、送信する段階と
を含む。
【０００９】
任意選択的に、前述の態様のいずれかにおいて、複数の空間ストリームの各々をそれぞれのシンボルに符号化する段階は、
空間ストリームの各々におけるビットを符号化する段階と、
空間ストリームの各々におけるビットをコンスタレーションポイントにマッピングする段階と、
各空間ストリームからのコンスタレーションポイントをそれぞれのシンボルにマッピングする段階と
を含む。
【００１０】
任意選択的に、前述の態様のいずれかにおいて、シンボルは、直交周波数分割多重化（ＯＦＤＭ）シンボルである。
【００１１】
任意選択的に、前述の態様のいずれかにおいて、ＡＳビットは、ＯＦＤＭシンボルにおけるサブキャリアごとに固有のサブキャリアである。
【００１２】
任意選択的に、前述の態様のいずれかにおいて、方法は、データ物理層集中プロシージャ（ＰＬＣＰ）プロトコルデータユニット（ＰＰＤＵ）を生成および送信するためのものであり、当該方法はさらに、
ＰＰＤＵのプリアンブルに複数のロングトレーニングフィールド（ＬＴＦ）を含む段階であって、ここでプリアンブルのＬＴＦの数は、送信アンテナの総数ＮＴに対応する、含む段階を備え、ここで送信アンテナの総数ＮＴは、データＰＰＤＵを送信するのに使用される送信ストリームの数Ｎより大きい。
【００１３】
任意選択的に、前述の態様のいずれかにおいて、シンボルのパイロットサブキャリアは、ＡＳビットに従って、それぞれの送信アンテナセットにマッピングされる。
【００１４】
他の態様によると、処理システムは、メモリと、メモリに結合された処理デバイスとを含み、処理デバイスは、
着信データビットストリームの第１の部分を符号化すべく、最初に符号化されたビットストリームに前方誤り訂正（ＦＥＣ）符号化を適用することと、
着信データビットストリームの第１の部分から独立して、第２の部分を符号化すべく、アンテナ選択（ＡＳ）ビットストリームにＦＥＣ符号化を適用することと、
複数の空間ストリームの各々をそれぞれのシンボルに符号化することであって、各空間ストリームは最初に符号化されたビットストリームの異なるそれぞれの部分である、符号化することと、
シンボルをそれぞれの送信アンテナセットで送信することであって、各シンボルを送信するそれぞれの送信アンテナセットは、ＡＳビットストリームからのＡＳビットにより決定される、送信することと
を行うように構成される。
【００１５】
任意選択的に、前述の態様のいずれかにおいて、処理デバイスは、
空間ストリームの各々におけるビットを符号化することと、
空間ストリームの各々におけるビットをコンスタレーションポイントにマッピングすることと、
各空間ストリームからのコンスタレーションポイントをそれぞれのシンボルにマッピングすることと
により、複数の空間ストリームの各々をそれぞれのシンボルに符号化するように構成される。
【００１６】
任意選択的に、前述の態様のいずれかにおいて、シンボルは、直交周波数分割多重化（ＯＦＤＭ）シンボルである。
【００１７】
任意選択的に、前述の態様のいずれかにおいて、ＡＳビットは、ＯＦＤＭシンボルにおけるサブキャリアごとに固有のサブキャリアである。
【００１８】
任意選択的に、前述の態様のいずれかにおいて、処理デバイスは、符号化を使用してデータ物理層集中プロシージャ（ＰＬＣＰ）プロトコルデータユニット（ＰＰＤＵ）を生成することと、送信を使用してそれぞれの送信アンテナセットでＰＰＤＵを送信することとを行うように構成され、当該処理デバイスはさらに、
ＰＰＤＵのプリアンブルに複数のロングトレーニングフィールド（ＬＴＦ）を含むように構成され、ここでプリアンブルのＬＴＦの数は、送信アンテナの総数ＮＴに対応し、ここで送信アンテナの総数ＮＴは、データＰＰＤＵを送信するのに使用される送信ストリームの数Ｎより大きい。
【００１９】
任意選択的に、前述の態様のいずれかにおいて、シンボルのパイロットサブキャリアは、ＡＳビットに従って、それぞれの送信アンテナセットにマッピングされる。
【００２０】
他の態様によると、各々が受信機の複数のアンテナを介して受信された複数の空間変調ストリームを処理する方法は、
アンテナ選択（ＡＳ）ビットを検出すべく、最大尤度（ＭＬ）対数尤度比（ＬＬＲ）ベースの検出を空間変調ストリームに適用する段階と、
ＳＭ変調ストリームを復号のためにそれぞれのストリームに分離すべく、多入力多出力（ＭＩＭＯ）検出を適用する段階であって、ここでＭＩＭＯ検出は検出されたＡＳビットに基づき、ＭＬベースの検出以外の検出を使用する、適用する段階と、
それぞれのストリームを復号する段階と
を含む。
【００２１】
任意選択的に、前述の態様のいずれかにおいて、復号する段階は、コンスタレーションマッピング解除を実行する段階と、ビットデインターリービングを実行する段階とを備える。
【００２２】
任意選択的に、前述の態様のいずれかにおいて、ＭＩＭＯ検出は、Ｍｉｎｉｍｕｍ  Ｍｉｎ  Ｓｑｕａｒｅ  Ｅｒｒｏｒ（ＭＭＳＥ）検出またはＺｅｒｏ  Ｆｏｒｃｉｎｇ（ＺＦ）検出を使用して実行される。
【００２３】
任意選択的に、前述の態様のいずれかにおいて、ＡＳビットのＭＬ  ＬＬＲ検出は、受信された空間変調ストリームと二位相偏移キーイング（ＢＰＳＫ）コンスタレーションとの間でユークリッド距離計算を使用して実行される。
【００２４】
追加的な態様によると、処理システムは、メモリと、メモリに結合された処理デバイスとを含む。
処理デバイスは、
アンテナ選択（ＡＳ）ビットを検出すべく、最大尤度（ＭＬ）対数尤度比（ＬＬＲ）ベースの検出を、複数の受信機アンテナで受信された複数の空間変調ストリームに適用することと、
ＳＭ変調ストリームを復号のためにそれぞれのストリームに分離すべく、多入力多出力（ＭＩＭＯ）検出を適用することであって、ここでＭＩＭＯ検出ＭＩＭＯ検出は検出されたＡＳビットに基づき、ＭＬベースの検出以外の検出を使用する、適用することと、
それぞれのストリームを復号することと
を行うように構成される。
【００２５】
任意選択的に、前述の態様のいずれかにおいて、処理デバイスはさらに、コンスタレーションマッピング解除を実行することと、ビットデインターリービングを実行することとにより、復号を実行するように構成される。
【００２６】
任意選択的に、前述の態様のいずれかにおいて、ＭＩＭＯ検出は、Ｍｉｎｉｍｕｍ  Ｍｉｎ  Ｓｑｕａｒｅ  Ｅｒｒｏｒ（ＭＭＳＥ）検出またはＺｅｒｏ  Ｆｏｒｃｉｎｇ（ＺＦ）検出を使用して実行される。
【００２７】
任意選択的に、前述の態様のいずれかにおいて、ＡＳビットのＭＬ  ＬＬＲ検出は、受信された空間変調ストリームと二位相偏移キーイング（ＢＰＳＫ）コンスタレーションとの間でユークリッド距離計算を使用して実行される。
【００２８】
いくつかの態様において、本開示は、メモリと、メモリに結合された処理デバイスとを備える処理システムを説明する。処理デバイスは、前述の方法のいずれかを実行するように構成される。
【図面の簡単な説明】
【００２９】
ここで、本願の例示的実施形態を示す添付の図面を例として参照する。
【００３０】
【図１】例示的実施形態が実装され得るＲＦ通信ネットワークの一例を示す概略図である。
【００３１】
【図２】ＲＦ通信を送信または受信するのに適切な例示的なデバイスを示すブロック図である。
【００３２】
【図３】第１の例示的実施形態に係る送信機を示すブロック図である。
【００３３】
【図４】第１の例示的実施形態に係る受信機を示すブロック図である。
【００３４】
【図５】第２の例示的実施形態に係る送信機を示すブロック図である。
【００３５】
【図６】第２の例示的実施形態に係る受信機を示すブロック図である。
【００３６】
同様のコンポーネントを表すのに同様の参照番号が異なる図において使用され得る。
【発明を実施するための形態】
【００３７】
以下は、以下の説明において使用される、選択された頭字語のテーブルである。テーブル１：頭字語
【表１】
2021516506.tif 000003
【００３８】
図１は、本明細書に説明された方法が実装され得る、例示的なシステム１００の概略図である。システム１００は、例えば、アクセスポイント（ＡＰ）１０２を含むＷｉ−Ｆｉインフラストラクチャであり得るローカル無線エリアネットワークインフラストラクチャを示す。また、ＡＰ１０２は、個人基本サービスセット（ＰＢＳＳ）コントロールポイント（ＰＣＰ）または基地局として称され得る。ＡＰ１０２は、例えば、ルータとして実装され得る。一般的に、ＡＰ１０２は、発展型ノードＢ（ｅＮＢ）、マクロセル、フェムトセル、ディストリビューションノード、Ｗｉ−Ｆｉ  ＡＰ、または他の無線対応デバイスなどの、ネットワークにおける無線アクセスを提供するように構成される任意のコンポーネント（またはコンポーネントの集合）のことを指し得る。ＡＰ１０２は、例えば、１または複数の無線通信プロトコル（例えば、ロングタームエボリューション（ＬＴＥ）、ＬＴＥアドバンスト（ＬＴＥ‐Ａ）、高速パケットアクセス（ＨＳＰＡ）、Ｗｉ−Ｆｉ８０２．１１ａ／ｂ／ｇ／ｎ／ａｃ／ａｄ、および他の８０２．１１プロトコル）に従って無線アクセスを提供し得る。少なくとも１つの局（ＳＴＡ）１０４がＡＰ１０２に関連付けられる。複数のＳＴＡがＡＰ１０２に関連付けられた構成において、各ＳＴＡ１０４は、異なる機能を使用して互いに独立して動作し得る。ＳＴＡ１０４は、例えば、端末、ユーザデバイス、ユーザ機器（ＵＥ）またはクライアントとも称され得る。各ＳＴＡ１０４は、スマートフォン、ラップトップ、携帯電話、Ｉｎｔｅｒｎｅｔ  ｏｆ  Ｔｈｉｎｇ（ＩｏＴ）デバイス、ウェアラブルデバイス、タブレットデバイスまたは任意の他の無線対応デバイスなどのモバイルまたは固定デバイスを含む、無線通信の可能な任意の適切な電気デバイス（ＥＤ）などの、無線通信の可能な任意のコンポーネント（またはコンポーネントの集合）であり得、ＳＴＡ１０４は互いに同一である必要はない。
【００３９】
システム１００は、ＡＰ１０２と各ＳＴＡ１０４との間の通信だけでなく、ＳＴＡ１０４間における直接通信（ｄｅｖｉｃｅ−ｔｏ−ｄｅｖｉｃｅ通信とも称される）もサポートし得る。ＳＴＡ１０４は、ＡＰ−ｔｏ−ＳＴＡまたはＳＴＡ−ｔｏ−ＳＴＡ通信の中継としても機能し得る。また、ＡＰ１０２は、例えば、指向性アンテナを使用することにより、および／または、周波数分割を使用することにより、マルチユーザ（ＭＵ）送信（例えば、ＡＰ１０２から複数のＳＴＡ１０４への同時送信）を実行し得る。図１の例において、システム１００は、ＡＰ１０２とＳＴＡ１０４との間のＭＩＭＯ通信をサポートすることで、ＲＦ信号の複数の空間変調（ＳＭ）ストリーム１０６（１）から１０６（Ｎ）（各々は一般的にＳＭストリーム１０６と称される）が、ＡＰ１０２からＳＴＡ１０４に同時に送信されることを可能にする。
【００４０】
図２は、本明細書に開示された実施形態を実装するのに使用され得る例示的な簡易処理システム２００のブロック図である。以下に説明される例示的な処理システム２００、またはその変形は、ＡＰ１０２、または複数のＳＴＡ１０４のうちいずれか１つを実装するのに使用され得る。他の処理システムは、本開示において説明された実施形態を実装するのに適切であり得、以下に説明されたものとは異なるコンポーネントを含み得る。図２は、各コンポーネントの単一のインスタンスを示すが、処理システム２００には各コンポーネントの複数のインスタンスが存在し得る。
【００４１】
処理システム２００は、プロセッサ、マイクロプロセッサ、特定用途向け集積回路（ＡＳＩＣ）、フィールドプログラマブルゲートアレイ（ＦＰＧＡ）、専用論理回路、またはそれらの組み合わせなどの、１または複数の処理デバイス２０２を含み得る。処理システム２００は、１または複数の入力／出力（Ｉ／Ｏ）インタフェース２０４を任意選択的に含み、１または複数の任意の入力デバイス２１４および／または出力デバイス２１６を使用してインタフェースすることを可能にし得る。処理システム２００は、ネットワーク（例えば、イントラネット、インターネット、Ｐ２Ｐネットワーク、ＷＡＮおよび／またはＬＡＮ）または他のノードとの有線通信または無線通信のための１または複数のネットワークインタフェース２０６を含み得る。ネットワークインタフェース２０６は、ネットワーク内および／またはネットワーク間の通信のための有線リンク（例えば、Ｅｔｈｅｒｎｅｔケーブル）および／または無線リンク（例えば、１または複数のアンテナ）を含み得る。
【００４２】
ネットワークインタフェース２０６は、１または複数のアンテナを介して無線通信を提供し得る。この例は、複数のアンテナが一緒にアンテナアレイ２１８を形成し、これは送信機能および受信機能の両方を実行し得る。アンテナアレイ２１８は、ビームフォーミングおよびビームトラッキングを使用した指向性通信を可能にし得る。他の例において、送信および受信のための別個のアンテナまたは別個のアンテナアレイが存在し得る。
【００４３】
また、処理システム２００は、１または複数の記憶装置２０８を含み得、これは、ソリッドステートドライブ、ハードディスクドライブ、磁気ディスクドライブ、および／または光ディスクドライブなどの大容量記憶装置を含み得る。処理システム２００は、１または複数のメモリ２１０を含み得、これは、揮発性または不揮発性メモリ（例えば、フラッシュメモリ、ランダムアクセスメモリ（ＲＡＭ）、および／またはリードオンリメモリ（ＲＯＭ））を含み得る。非一時的メモリ２１０は、本開示において説明された例示的な方法を実行することなど、処理デバイス２０２による実行のための命令を記憶し得る。メモリ２１０は、オペレーティングシステムおよび他のアプリケーション／機能を実装することなどの他のソフトウェア命令を含み得る。いくつかの例において、１または複数のデータセットおよび／またはモジュールが、外部メモリ（例えば、処理システム２００との有線通信または無線通信における外部ドライブ）により提供され得るか、または、一時的または非一時的コンピュータ可読媒体により提供され得る。非一時的コンピュータ可読媒体の例は、ＲＡＭ、ＲＯＭ、消去可能プログラマブルＲＯＭ（ＥＰＲＯＭ）、電気的消去可能プログラマブルＲＯＭ（ＥＥＰＲＯＭ）、フラッシュメモリ、ＣＤ‐ＲＯＭ、または他のポータブルメモリストレージを含む。
【００４４】
処理デバイス２０２、任意のＩ／Ｏインタフェース２０４、ネットワークインタフェース２０６、記憶装置２０８および／またはメモリ２１０を含む処理システム２００のコンポーネント間の通信を提供するバス２１２が存在し得る。バス２１２は、例えば、メモリバス、周辺バスまたはビデオバスを含む任意の適切なバスアーキテクチャであり得る。
【００４５】
図２において、任意の入力デバイス２１４（例えば、キーボード、マウス、マイク、タッチスクリーン、および／またはキーパッド）および任意の出力デバイス２１６（例えば、ディスプレイ、スピーカおよび／またはプリンタ）は、処理システム２００の外部として示される。他の例において、１または複数の入力デバイス２１４および／または出力デバイス２１６は、処理システム２００の内部コンポーネントであり得る。
【００４６】
図３は、例示的実施形態に係る、ＡＰ１０２の処理システム２００により実装される送信機３００を示すブロック図である。送信機３００は、ＩＥＥＥ規格８０２．１１‐２０１６の第１９節：Ｈｉｇｈ−Ｔｈｒｏｕｇｈｐｕｔ（ＨＴ）ＰＨＹ  ｓｐｅｃｉｆｉｃａｔｉｏｎにおいて指定される送信機ブロックに対応する送信機ブロックの第１のグループ３０２を含む。図３の実施形態において、送信機ブロックの第１のグループ３０２に加えて、送信機３００は、以下に説明されるような送信機ブロックのアンテナ選択（ＡＳ）グループ３０４も含み、送信機ブロックの第１のグループ３０２により符号化されるデータビットとは別個でＡＳビットが符号化されることを可能にする。
【００４７】
示された実施形態において、送信機ブロックの第１のグループ３０２は、以下のブロックにより表される動作プロセスを含む：
ａ）スクランブラ（ブロック３０６）：入力データを（入力インタリーブビットストリームＩ）スクランブルして、０ｓまたは１ｓの長いシーケンスの可能性を減少させる。
ｂ）エンコーダパーサ（ブロック３０８）：バイナリ畳み込み符号化（ＢＣＣ）符号化が使用されるとき、ＮＥＳ（データフィールドのＢＣＣエンコーダの数）間で、スクランブルされたビットを逆多重化する。ＢＣＣエンコーダは、ラウンドロビン方式で、以下にも説明されるように、アンテナ選択（ＡＳ）ビットとして使用するデータビットをスクランブルされたビットから分離する：
ｃ）ＦＥＣエンコーダ（ブロック３１０）：データを符号化して、誤り訂正を可能にする（ＦＥＣエンコーダは、ＢＣＣエンコーダに続いてパンクチャリングデバイスを含んでもよく、または、低密度パリティ検査（ＬＤＰＣ）エンコーダを含んでもよい。）
ｄ）ストリームパーサ（ブロック３１２）は、ＦＥＣエンコーダ３１０の出力を、異なるインターリーバおよびマッパに送信される空間ストリームに分割する。
ｅ）インターリーバ（ブロック３１４）：各空間ストリームのビットをインタリーブ（ビットの順序を変化させる）させて、隣接するノイズが入ったビットの長いシーケンスを防止する（インタリービングは、ＢＣＣ符号化が使用される場合にのみ適用され得る。）
ｆ）コンスタレーションマッパ（ブロック３１６）：各空間ストリームにおけるビットのシーケンスをコンスタレーションポイント（複素数）にマッピングする。
ｇ）時空間ブロック符号化（ＳＴＢＣ）エンコーダ（ブロック３１８）：時空間ブロックコードを使用してコンスタレーションポイントをＮｓｓ個の空間ストリームからＮｓｔｓ個の時空間ストリームに拡散する（ＳＴＢＣは、Ｎｓｓ＜Ｎｓｔｓである場合にのみ使用され得る）。
ｈ）循環シフトダイバーシティ（ＣＳＤ）（ブロック３２０）：意図しないビームフォーミングを防止すべく、時空間ストリームごとに循環シフトを挿入する。
ｉ）空間マッパ（ブロック３２２）：時空間ストリームを送信チェーンにマッピングする。
ｊ）逆離散フーリエ変換（ＩＤＦＴ）（ブロック３２４）：コンスタレーションポイントのブロックを時間ドメインブロックに変換する。
ｋ）ガードインターバル（ＧＩ）の挿入およびウィンドウ（ブロック３２６）：ＧＩ挿入は、シンボルにＧＩをそれ自体の円形拡張プリペンドし、ウィンドウイングは、各シンボルのエッジを任意選択的に円滑化して、スペクトル減衰を増加させる。
ｉ）アナログおよびＲＦ（ブロック３２８）：サブキャリアをキャリア周波数にアップコンバートし、結果として得られるアップコンバートされたストリームをそれぞれの送信アンテナＴＡ（１）からＴＡ（ＮＴ）（一般的に送信アンテナＴＡまたは送信アンテナＴＡ（ｉ）と称される）を介して無線チャネルに送信する。
【００４８】
送信機ブロックの第１のグループ３０２は、物理層集中プロシージャ（ＰＬＣＰ）プロトコルデータユニット（ＰＰＤＵ）のデータフィールドを生成するように構成される。コンスタレーションマッパ（ブロック３１６）、ＣＳＤ（ブロック３２０）、空間マッピング（ブロック３１２）および送信チェーンを含む送信機ブロックのグループ３０２のサブセットも、高スループットロングトレーニングフィールド（ＨＴ―ＬＴＦ）を含む、ＰＰＤＵのプリアンブルフィールドを生成するのに使用される。
【００４９】
例示的実施形態において、第１のグループ３０２の送信機処理ブロックのいくつかは、特定のアプリケーションに応じて省略され得る。例えば、ＢＣＣ符号化が使用されないいくつかの送信機構成において、複数のデータストリームＦＥＣエンコーダ３１０を、単一のＦＥＣエンコーダ３１０に置換され得る。いくつかの例において、ＳＴＢＣ３１８ブロックが省略され得る。
【００５０】
本開示は、送信機３００が、送信機３００で利用可能な数ＮＴの送信アンテナＴＡ（ｉ）より少ない数（Ｎ）の時空間ストリームを生成することと、ＮＴ個の送信アンテナＴＡ（ｉ）のＮ個のサブセットを使用してＮ個のＳＭストリーム１０６（１）を１０６（Ｎ）に送信することとを行うように構成されたアプリケーションを対象とする。ここで説明される例示的実施形態において、送信機３００により所与の時間に生成された数Ｎの時空間ストリームは、データ空間ストリームの数だけでなく、送信されたＳＭストリーム１０６（１）から１０６（Ｎ）の数と等しく、送信機３００のＳＴＢＣ３１８ブロックは省略され得る。ＳＭストリーム１０６を送信するのに使用される送信チェーンおよび対応する送信アンテナＴＡ（ｉ）の数（Ｎ）が、送信チェーンおよびアンテナの総数（ＮＴ）より少ないので、空間マッピングブロック３２２は、どのアンテナを選択すべきかについての命令を要求する。ブロック３２２のマッピングによるアンテナ選択は、ＯＦＤＭサブキャリアに基づいてＯＦＤＭサブキャリアにおいて実行される。
【００５１】
例示的実施形態において、ＰＰＤＵのデータフィールドを生成する場合、送信機３００は、データビットのストリームを含むビットストリームＩを入力として受信する。データストリームからの選択されたビットは、送信機３００により、アンテナ選択（ＡＳ）ビットとして使用される。これらのＡＳビットは、それぞれＳＭストリーム１０６を送信すべく、ＮＴ個の送信アンテナＴＡ（ｉ）（および対応する送信チェーン）が使用されることを指定するのに使用される。ＡＳビットは入力ビットストリームＩのデータビットから選択され、アンテナ選択の目的のみではないので、アンテナ選択に使用されるビットは、データを送信することだけでなくアンテナ選択情報を提供するという２つの目的を有する。
【００５２】
従って、例示的実施形態において、エンコーダパーサ３０８は、着信データビットストリームＩを１または複数のデータ空間ストリームおよび別個のＡＳストリーム３０５に分割するように構成される。１または複数のデータ空間ストリームは、ｍＮビット／ＯＦＤＭシンボル／サブキャリアをまとめて含む。Ｎは空間ストリームの数であり、ｍ＝ｌｏｇ２（Ｍ）であり、ここで、ｍはコンスタレーションマッパで適用される信号コンスタレーションアルファベットサイズである（ブロック３１６）である。ＡＳストリーム３０５は、ビット／ＯＦＤＭシンボル／サブキャリアを含み、ここで、ｎは、ＮＴ個のアンテナのうちどれが選択されたかを識別するインデックス値を表すのに使用されるアクティブなアンテナセクションビットの数である。ＡＳストリーム３０５のビットは、別個の処理のために送信機ブロックのＡＳグループ３０４に送信され、データストリームは、送信機ブロックにおける第１のグループ３０２のＦＥＣエンコーダ（ブロック３１０）およびストリームパーサ（ブロック３１２）に送信され、各々がそれぞれのインターリーバ（ブロック３１４）およびコンスタレーションマッパ（ブロック３１６）動作の対象となるＮ個のデータ空間ストリームを生成する。その結果、空間マッピング動作（ブロック３２２）へのＮ個の対応するデータ時空間ストリーム入力をもたらす。
【００５３】
ＡＳストリーム３０５を再び参照すると、ＡＳストリーム３０５に対するビット／ＯＦＤＭシンボル／サブキャリアを着信データビットストリームＩから選択的に分割すべく、エンコーダパーサ（ブロック３０８）により適用されるパースプロセスは、任意の適切な予め定められたパースプロセスであり得る。図３において、エンコーダパーサ３０８により出力されるＡＳビットは、元のＡＳビットとして識別される。送信機ブロックのＡＳグループ３０４はＡＳストリーム３０５を処理し、元のＡＳビットを処理済ＡＳビットおよびＡＳ選択情報に変換し、それらは空間マッパ（ブロック３２２）によるアンテナ選択およびサブキャリア符号化のために使用される。特に、別個のＦＥＣ符号化動作が、ＡＳストリーム固有のＡＳ  ＦＥＣエンコーダ（ブロック３３０）によりＡＳストリーム３０５の元のＡＳビットに適用される。従って、ＡＳビットストリームは、送信機ブロックの第１のグループ３０２のエンコーダ（ブロック３１０）でＦＥＣ符号化されたデータビットストリームから独立して、ＡＳ  ＦＥＣエンコーダ（ブロック３３０）でＦＥＣ符号化される。
【００５４】
ＦＥＣ符号化されたＡＳビットは次に、ＡＳインターリーバ（ブロック３３２）でインタリーブされ、その結果、処理済ＡＳビットをもたらす。アンテナ選択動作（ブロック３３４）は次に、符号化かつインタリーブされたＡＳビットに適用され（符号化かつインタリーブされたビットが処理済ＡＳビットである）、ＡＳストリーム３０５に含まれるＡＳビットに基づいて、アンテナＴＡ（１）からＴＡ（ＮＴ）のうちどれを使用するかを決定する。アンテナ選択動作（ブロック３３４）は、例えば、ルックアップテーブルに基づいてよい。ＳＭストリームの数がｎ＝２であり、利用可能な送信アンテナの数がＮＴ＝４であり、アクティブＡＳビットの数がｎ＝２である例に対するアンテナ選択ルックアップテーブルの例示的実施形態は、以下の通りである。
【表２】
2021516506.tif 000004
【００５５】
例示的実施形態において、選択されたアンテナセットを識別する情報（例えば、テーブル１の列３）が空間マッピングプロセス（ブロック３３２）に提供され、Ｎ個のデータ時空間ストリームから、選択された送信アンテナＴＡ（ｉ）のそれぞれの送信チェーンに直接、コンスタレーションポイントをマッピングする。ＡＳビットの数が２である上記の例において、２つの処理済ＡＳビットが使用して、サブキャリアごとに２つのＴＸアンテナを選択する。結果として得られるＳＭストリーム１０６（１）から１０６（Ｎ）が次に送信される。少なくともいくつかの例示的実施形態において、他の場合にデータ送信に使用されることができないパイロットサブキャリアは、パイロットサブキャリアに対するＴＸアンテナ選択がＡＳビットによっても同様に実行されるべきであるので、ＡＳビットを介して固有のデータを搬送するのに使用され得る。
【００５６】
上記のように、送信機３００のブロックのサブセットは、データフィールドに先行するＨＴ―ＬＴＦを含む、ＰＰＤＵのプリアンブル部分を生成するのに使用される。多重送信アンテナのある状況では、データフィールドより先にＰＰＤＵに含まれるＨＴ―ＬＴＦの数は一般的に、アクティブな送信ストリームの数により決定される。しかしながら、現在の実施形態において、受信デバイス（例えば、ＳＴＡ１０４）は、ＳＭストリーム１０６を送信するのに、送信機アンテナＴＡ（１）からＴＡ（ＮＴ）のうちどれが実際に使用されるかを事前に認識しておらず、従って、ＮＴ個の可能なＳＭストリームチャネルの全てを推定するための情報を要求する。従って、送信機３００がＰＰＤＵを組み立てる場合、それは、受信デバイスがＮＴ個の可能なＳＭストリームチャネルの全てを推定することを可能にするのに十分な数のＨＴ―ＬＴＦを含まなければならない。例として、ＮＴ＝４である場合は、４つのＨＴ―ＬＴＦがＰＰＤＵプリアンブルに含まれなければならない。いくつかのアプリケーションにおいて、これは他の空間多重化ベースのＭＩＭＯシステムと比較した場合のチャネル推定に要求されるオーバーヘッドの量を増加させ得るが、例示的実施形態において上述したように、ＳＭストリーム１０６で送信されるＡＳビットはデータおよびアンテナ選択情報の両方を搬送することにより、ＯＦＤＭシンボルごとのサブキャリアごとのスループットを追加でＮビット増加させる。
【００５７】
図４を参照すると、送信されたＳＭストリーム１０６（１）から１０６（Ｎ）は、それぞれが受信されたＳＭストリーム１０６Ｒ（１）から１０６Ｒ（Ｎ）として受信機４００で受信される。図４において示される受信機ブロックは、例えば、ＳＴＡ１０４の処理システム２００により実装され得る処理動作を表す。図４に示されるように、受信機４００はＮＲ個の受信アンテナを含む。ＮＲ個の受信アンテナの各々は、全てのＮ個のＳＭストリーム１０６Ｒ（１）から１０６Ｒ（Ｎ）を受信する。受信機４００は、各受信アンテナで受信されたＳＭストリーム１０６Ｒ（１）から１０６Ｒ（Ｎ）をフィルタリングし、ベースバンドにダウンコンバートする受信機（ＲＸ）処理動作（ブロック４０２）を含む。ブロック４０４に示されるように、受信されたストリームにおけるベースバンドシンボルにＧＩの除去が適用され、シンボルを周波数ドメインに変換すべく、高速フーリエ変換が適用される。加えて、受信されたストリームに含まれるＮＴ個のＨＴ―ＬＴＦ信号を使用して、受信機４００と送信機３００との間の可能なＮＴ×ＮＲ個のＲＦチャネルの各々に対してチャネル推定を実行する。送信機で選択されたアンテナは、ＳＭストリーム１０６Ｒ（１）から１０６Ｒ（Ｎ）により本質的に通信され、ＭＬ  ＬＬＲ算出が実行されてＡＳ情報を抽出する。特に、ブロック４０６に指示されるように、ＬＬＲ算出が実行され、受信されたストリーム１０６Ｒ（１）から１０６Ｒ（Ｎ）において固有のＡＳビットを推定する。例えば、４つの可能なアンテナのうち２つが使用される場合、第１のビットである０または１ならびに第２のビットである０または１に対する全てのアンテナ選択の組み合わせに従って、ＭＬベースのＬＬＲが実行される。ビット０の尤度からビット１の尤度を引いたものは、サブキャリアごとの第１のＡＳビット（または第２のＡＳビット）のように、対応するビットへのＬＬＲである。ＡＳビットに対するＬＬＲは、複数の指数に対する和の対数を取ることにより取得される。指数の和は、以下の［１］のように与えられ得る、指数の最大指数値を見つけることにより近似され得る。
【００５８】
式１：
【数１】
2021516506.tif 000005
ここで、
【数２】
2021516506.tif 000006
は、受信信号が、ＲＸストリーム１０６Ｒ（１）から１０６Ｒ（Ｎ）にわたるベクトルｙであり、
【数３】
2021516506.tif 000007
が選択されたアンテナセットのチャネル行列である場合のｉ番目のアンテナビット選択に対するＬＬＲである。
【数４】
2021516506.tif 000008
は、選択されたアンテナビット選択であり、
【数５】
2021516506.tif 000009
は、ｉ番目のアンテナビット選択が０である場合のアンテナ構成セットである。
【数６】
2021516506.tif 000010
は、ＱＡＭコンスタレーションセットであり、
【数７】
2021516506.tif 000011
は、全体のＱＡＭコンスタレーションセットであり、ここでＱＡＭコンスタレーションセットは全体のＱＡＭコンスタレーションセットのうち２つの要素であり、例えば、可能な４つから２つのストリームが選択された場合、ＱＡＭコンスタレーションセットは、全体のＱＡＭコンスタレーションセットにおける１６個のＱＡＭコンスタレーションポイントのうち２つである。
【００５９】
サブキャリアごとのＬＬＲ出力の数は、ＴＸアンテナを選択するのに使用されたビットの数により決定される。従って、テーブル１における例に従って、Ｎ＝２である場合、ブロック４０６からのサブキャリアごとに２つのＬＬＲ出力が存在する。図４の例において、ＬＬＲ出力は、アンテナ構成ブロック４０８により処理される軟判定情報である。これに関連して、アンテナ選択ビットに対するＬＬＲ軟判定出力は、デインタリーブ（ブロック４１０）され、送信機ＡＳインターリーバ３３２で実行されたＡＳインタリービングを逆にして、次に、ＡＳ  ＦＥＣデコーダ４１２を通過して、送信機ＡＳ  ＦＥＣエンコーダ３３０に最初に入力されたＡＳビットを復旧する。従って、ＡＳ  ＦＥＣデコーダ４１２の出力は、送信機ブロックのＡＳストリームグループ３０５に入力として最初に提供されたＡＳビット（元のＡＳビット）の復旧されたバージョンである。
【００６０】
図４に示されるように、復旧されたＡＳビットは次に、再符号化および再インタリーブされ、処理済ＡＳビットを再作成し、これらの再作成された処理済ＡＳビットは、最後のＡＳ選択決定（ブロック４１４）を作成するのに使用される。特に、復旧されたＡＳビットに対してブロック４１４で実行される動作は、元のＡＳビットに対して送信機ブロックのＡＳグループ３０４により実行されたものと同一であり、その結果、ＡＳ処理済ビットの復旧されたバージョン、および送信機ブロックのＡＳグループ３０４により生成されるＡＳ情報をもたらす。従って、受信機４００は、適用するテーブル１のアンテナ選択情報のローカルコピーを有する。
【００６１】
結果として得られるアンテナ選択情報は次に、ＭＩＭＯ検出プロセス（ブロック４１６）に供給される（上述したように、ＳＴＢＣは本例から省略され、以下のさらなる例に関連して説明される）。ＭＩＭＯ検出は、ベースバンドＳＭストリームに対して実行され、Ｎ個の空間ストリームを復旧する。このＭＩＭＯ検出は、どの転送アンテナがＯＦＤＭシンボルに使用されたかについての知識を用いて実行される。Ｎ個の復旧された空間ストリームは次に、それぞれのコンスタレーションデマッパおよびビットデインターリーバ動作（ブロック４１８）を使用して並列に処理され得、結果として得られるデータストリームに逆パースおよびＦＥＣ復号が行われ（ブロック４２０）、送信機ブロック３１２、３１０で実行されたストリームのパースおよびＦＥＣ符号化を逆にさせる。次にデコーダ逆パース動作（ブロック４２２）が実行され、送信機ブロック３０８で実行されたパースを逆にすることで、復旧されたＡＳビットストリームと復旧されたデータビットストリームとを再結合する。最後に、デスクランブラ動作（ブロック４２４）が適用され、入力データストリームＩの復旧されたバージョンである出力データストリームＯを生成する。
【００６２】
上述したように、ＭＩＭＯ検出（ブロック４１６）は、アンテナ構成ブロック４０８により実行されるアンテナ選択に基づいて、送信チャネルを熟知して実行され得る。これは、ＳＭストリーム１０６Ｒ（１）から１０６Ｒ（Ｎ）のデータを検出するためのチャネル係数行列Ｈを、ＮＴ×ＮＲからＮ×ＮＲまで減少させる。ここで、Ｎ＜ＮＴである。従って、受信機４００でデータストリームから独立してＡＳストリームが処理されることを可能にすることにより、図３および図４のシステムは、データストリームを復号することより先に、どの送信アンテナが使用されたかを受信機が認識することを可能にする。結果としてこれは、ＳＭストリーム１０６Ｒ（１）〜１０６Ｒ（Ｎ）からの個々の空間ストリームを復旧して、その後ストリームにおけるデータを復号すべく、より単純な検出処理が適用されることを可能にする。例えば、ブロック４１６において適用されるＭＩＭＯ検出は、より集約的なＭＬベースのＬＬＲ計算ではなく、ＭＭＳＥまたはＺＦなどのよりリソース集約的でない検出アルゴリズムに基づくことができる。ＭＭＳＥまたはＺＦ検出が使用されるとき、次に、ＬＬＲ計算は、より小さいチャネル係数行列Ｈを使用して、各ストリームに対して個々に実行され得る。
【００６３】
ＡＳビットに関して実行されたＬＬＲ算出（ブロック４０６）に関しては、上述したように、サブキャリアごとのＬＬＲ出力は、ＴＸアンテナを選択するのに使用されるビットの数により決定される。ＭＬベースのＬＬＲ計算は、ＡＳビットを検出するために受信機４００において使用されるが、それは、データおよびＡＳビットを含む全てのビットではなく、サブキャリアごとのビットサブセット（例えば、ＡＳビットの数）にのみ要求される。
【００６４】
従って、送信機３００における別個のＡＳビット固有ＦＥＣエンコーダおよびＡＳインターリーバ動作（ブロック３３２、３３４）と、受信機４００における対応するＡＳビット固有動作との使用は、ＡＳビットストリーム（データだけでなくＡＳ情報を搬送するビットを含む）がデータビットストリーム（データ専用ビットを含む）から独立して処理されることを可能にし、各ストリームに異なる検出方法が適用されることを可能にする。データビットストリームにおいて実行される検出は、ＡＳビットストリームから導出された送信機アンテナ選択の知識を用いて実行され得る。
【００６５】
例示的実施形態において、ＳＴＢＣは送信機３００により適用され得、対応するＳＴＢＣ検出は受信機４００において実行され得る。Ｎ個の空間ストリームがＮ個の時空間ストリームに直接マッピングされないので、ＳＴＢＣは、送信機および受信機に追加の処理層を追加する。ＳＴＢＣの使用は、空間ストリームが存在するより大きい数の送信チェーンおよび送信アンテナを使用して、ダイバーシティ利得を提供し得る。
【００６６】
図５は、さらなる例示的実施形態に係る、ＡＰ１０２の処理システム２００により実装される送信機５００を示すブロック図である。送信機３００と同じ機能を有する送信機５００の動作ブロックは、図３で使用されるものと同じ参照番号を用いて参照される。送信機５００と送信機３００と間の１つの違いは、ＡＳビットに対して使用される入力ストリームＩからのデータビットが、ＦＥＣ符号化が行われた後になるまで、入力データビットストリームから分割されないことである。これに関連して、図５に示されるように、ビットパーサ動作（ブロック５１１）は、入力データビットストリームがスクランブル（ブロック３０６）され、ＦＥＣが符号化された（ブロック３１０）後に行われる。ビットパーサ動作（ブロック５１１）において、アンテナ選択に使用されるデータビット（元のＡＳビットとして図５に表される）は、残りのデータビットストリームからＡＳストリーム５０５に分割される。データビットストリームは、Ｎ個の並列データ空間ストリームにパースされ（ブロック３１２）、Ｎ個の並列データ空間ストリームは、インタリービング、コンスタレーションマッピング、ＣＳＤ（ブロック３１４、３１６、３２０）の対象となり、空間マッピングプロセス（ブロック３２２）に提供される。
【００６７】
ＡＳストリーム５０５における元のＡＳビットは、ＡＳインターリーバおよびアンテナ選択動作（ブロック３３２および３３４）により、送信機３００に関して上に説明されたものと同じ方法で処理されることで、空間マッピングプロセス（ブロック３２２）に処理済ＡＳビットとＡＳ情報とを提供する。空間マッピングプロセス（ブロック３２２）は、ＡＳ情報により指定されるように、それぞれのデータ空間ストリームをそれぞれの送信チェーンにマッピングし、また、処理済ＡＳビットを用いてあらゆるサブキャリアを符号化することで、結果として、ＳＭストリーム５０６（１）から５０６（Ｎ）が送信される。
【００６８】
図６に示されるように、受信機４００と異なる受信機構成を有する受信機６００は、送信機５００からのＳＭストリーム５０６Ｒ（１）〜５０６Ｒ（Ｎ）を受信するのに要求される。これは、送信機５００においてパースされる前のＡＳビットとデータ専用ビットとのジョイントＦＥＣ符号化が、受信機４００において実行されるように、受信機がＡＳビットのみに対して別個の復号および再符号化処理を実行することを困難にするからである。図６において、受信機４００と同じ機能を有する受信機６００の動作ブロックは、図４において使用されるものと同じ参照番号を用いて参照される。
【００６９】
受信機６００は、受信機４００のアンテナ構成ブロック４０８（ＡＳデインターリーバとＦＥＣデコーダ処理（ブロック４１０、４１２）を含む）と、再符号化、再インタリービングおよびアンテナ選択処理（ブロック４１４）とが全て、受信機６００において単純な硬判定アンテナ選択処理（ブロック６０８）に置換されるという点で、受信機４００とは異なる。従って、受信機６００において、ＡＳビットに対するＬＬＲ算出（ブロック４０６、式（１）を使用する）の直後にＡＳに対して硬判定が行われる。硬判定の結果として、ＭＩＭＯ検出プロセス（ブロック４１６）は、送信機５００で使用される選択された送信アンテナを認識し、ＭＩＭＯ検出は、ＭＬベースのＬＬＲ計算に限定される必要はなく、ＭＭＳＥおよびＺＦなどの計算的に集約的でない検出アルゴリズムを代替的に使用し得る。ＭＭＳＥまたはＺＦ検出が使用されるとき、ＬＬＲ計算が各空間データストリームごとに個々に処理される。
【００７０】
いくつかの例において、ＭＩＭＯ検出（ブロック４１６）は、ＭＬベースのＬＬＲ算出に基づいて実行され得る。例えば、ＭＬベースのＬＬＲ算出は、アンテナ構成の全ての可能な組み合わせに対して実行され得る。送信アンテナがＭＩＭＯ検出より先に決定される場合、アンテナの組み合わせの数は、送信アンテナが決定されなかった場合より少ない。データストリームに対するＭＩＭＯ検出ＭＬベースのＬＬＲ算出の例が、式（２）のように以下に与えられる。
【００７１】
式２：
【数８】
2021516506.tif 000012
【００７２】
上記のように、例示的実施形態において、ＡＳビットは、情報を送信するのに一般的に使用されないパイロットキャリアにも適用され得る。パイロットキャリアがＡＳビットにより選択されたアンテナを介して送信される場合、アンテナ選択ビットに対するＬＬＲ算出は、データフィールドの情報ビットに対するＭＣＳにかかわらず、受信信号と二位相偏移キーイング（ＢＰＳＫ）または直交ＢＰＳＫ(ＱＢＰＳＫ)コンスタレーションとの間でユークリッド距離計算を介して実行され得る。
【００７３】
本開示は、方法および処理を、特定の順序で段階的に説明するが、方法および処理のうち１または複数の段階は、適宜省略または変更され得る。適宜、１または複数の段階は、説明されている以外の順序で行われ得る。
【００７４】
本開示は、少なくとも部分的に方法の観点から説明しているが、当業者であれば、本開示が、ハードウェアコンポーネント、ソフトウェア、またはこの２つの任意の組み合わせにより、説明された方法の態様および機能の少なくとも一部を実行する、さまざまなコンポーネントも対象とするということを理解する。従って、本開示の技術的解決手段は、ソフトウェア製品の形態で具現化され得る。適切なソフトウェア製品は、例えば、ＤＶＤ、ＣＤ‐ＲＯＭ、ＵＳＢフラッシュディスク、リムーバブルハードディスク、または他の記憶媒体を含む、予め記録された記憶デバイスまたは他の同様の不揮発性もしくは非一時的コンピュータ可読媒体に記憶され得る。ソフトウェア製品は、処理デバイス（例えば、パーソナルコンピュータ、サーバ、またはネットワークデバイス）が、本明細書に開示される方法の例を実行することを可能にする、そこに有形的に記憶された命令を含む。
【００７５】
本開示は、請求項の主題から逸脱することなく、他の特定の形態で具現化され得る。説明される例示的実施形態は、全ての点において、単に例示的なものであって限定的なものではないとみなされるべきである。上記の実施形態のうち１または複数から選択される機能は、明示的には説明されていない代替的な実施形態を形成するように組み合わされ得る。そのような組み合わせに適切な機能は、本開示の範囲内で理解される。
【００７６】
開示されている範囲内の全ての値およびサブレンジも開示される。また、本明細書で開示および図示されるシステム、デバイスおよびプロセスは、特定数の要素／コンポーネントを備え得るが、システム、デバイスおよびアセンブリは、そのような要素／コンポーネントを追加でまたはより少なく含むように変更され得る。例えば、開示されている要素／コンポーネントのいずれも単数として参照され得るが、本明細書で開示される実施形態は、そのような要素／コンポーネントを複数含むように変更され得る。本明細書で説明されている主題は、技術における全ての適切な変化を網羅および包含することを意図する。
【図１】
2021516506.tif 000013
【図２】
2021516506.tif 000014
【図３】
2021516506.tif 000015
【図４】
2021516506.tif 000016
【図５】
2021516506.tif 000017
【図６】
2021516506.tif 000018
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
送信機で実行される方法であって、
着信データビットストリームの第１の部分を符号化すべく、最初に符号化されたビットストリームに前方誤り訂正（ＦＥＣ）符号化を適用する段階と、
前記着信データビットストリームの前記第１の部分から独立して、第２の部分を符号化すべく、アンテナ選択（ＡＳ）ビットストリームにＦＥＣ符号化を適用する段階と、
複数の空間ストリームの各々をそれぞれのシンボルに符号化する段階であって、各空間ストリームは前記最初に符号化されたビットストリームの異なるそれぞれの部分である、符号化する段階と、
前記シンボルをそれぞれの送信アンテナセットで送信する段階であって、各シンボルを送信するそれぞれの前記送信アンテナセットは、前記ＡＳビットストリームからのＡＳビットにより決定される、送信する段階と
を備える、方法。
【請求項２】
前記複数の空間ストリームの各々をそれぞれのシンボルに符号化する段階は、
前記複数の空間ストリームの各々におけるビットを符号化する段階と、
前記複数の空間ストリームの各々におけるビットをコンスタレーションポイントにマッピングする段階と、
各空間ストリームからの前記コンスタレーションポイントをそれぞれの前記シンボルにマッピングする段階と
を備える、請求項１に記載の方法。
【請求項３】
前記シンボルは、直交周波数分割多重化（ＯＦＤＭ）シンボルである、請求項１または２に記載の方法。
【請求項４】
前記ＡＳビットは、前記ＯＦＤＭシンボルにおけるサブキャリアごとに固有のサブキャリアである、請求項３に記載の方法。
【請求項５】
前記方法は、データ物理層集中プロシージャ（ＰＬＣＰ）プロトコルデータユニット（ＰＰＤＵ）を生成および送信するためのものであり、前記方法はさらに、
前記ＰＰＤＵのプリアンブルに複数のロングトレーニングフィールド（ＬＴＦ）を有する段階であって、前記プリアンブルの前記ＬＴＦの数は、送信アンテナの総数ＮＴに対応する、有する段階を備え、
送信アンテナの総数ＮＴは、前記データＰＰＤＵを送信するのに使用される送信ストリームの数Ｎより大きい、請求項１から４のいずれか一項に記載の方法。
【請求項６】
前記シンボルのパイロットサブキャリアは、前記ＡＳビットに従って、それぞれの送信アンテナセットにマッピングされる、請求項１から５のいずれか一項に記載の方法。
【請求項７】
メモリと、前記メモリに結合された処理デバイスとを備える処理システムであって、前記処理デバイスは、
着信データビットストリームの第１の部分を符号化すべく、最初に符号化されたビットストリームに前方誤り訂正（ＦＥＣ）符号化を適用することと、
前記着信データビットストリームの前記第１の部分から独立して、第２の部分を符号化すべく、アンテナ選択（ＡＳ）ビットストリームにＦＥＣ符号化を適用することと、
複数の空間ストリームの各々をそれぞれのシンボルに符号化することであって、各空間ストリームは前記最初に符号化されたビットストリームの異なるそれぞれの部分である、符号化することと、
前記シンボルをそれぞれの送信アンテナセットで送信することであって、各シンボルを送信するそれぞれの前記送信アンテナセットは、前記ＡＳビットストリームからのＡＳビットにより決定される、送信することと
を行うように構成される、処理システム。
【請求項８】
前記処理デバイスは、
前記複数の空間ストリームの各々におけるビットを符号化することと、
前記複数の空間ストリームの各々におけるビットをコンスタレーションポイントにマッピングすることと、
各空間ストリームからの前記コンスタレーションポイントをそれぞれの前記シンボルにマッピングすることと
により、前記複数の空間ストリームの各々をそれぞれのシンボルに符号化するように構成される、請求項７に記載の処理システム。
【請求項９】
前記シンボルは、直交周波数分割多重化（ＯＦＤＭ）シンボルである、請求項７または８に記載の処理システム。
【請求項１０】
前記ＡＳビットは、前記ＯＦＤＭシンボルにおけるサブキャリアごとに固有のサブキャリアである、請求項９に記載の処理システム。
【請求項１１】
前記処理デバイスは、前記符号化を使用して、データ物理層集中プロシージャ（ＰＬＣＰ）プロトコルデータユニット（ＰＰＤＵ）を生成することと、前記送信を使用して、前記ＰＰＤＵをそれぞれの前記送信アンテナセットに送信することとを行うように構成されており、
前記処理デバイスはさらに、
前記ＰＰＤＵのプリアンブルに複数のロングトレーニングフィールド（ＬＴＦ）を含むように構成され、前記プリアンブルの前記ＬＴＦの数は、送信アンテナの総数ＮＴに対応し、
送信アンテナの総数ＮＴは、前記データＰＰＤＵを送信するのに使用される送信ストリームの数Ｎより大きい、請求項７から１０のいずれか一項に記載の処理システム。
【請求項１２】
前記シンボルのパイロットサブキャリアは、前記ＡＳビットに従って、それぞれの送信アンテナセットにマッピングされる、請求項７から１１のいずれか一項に記載の処理システム。
【請求項１３】
各々が受信機の複数のアンテナを介して受信された複数の空間変調ストリームを処理する方法であって、
アンテナ選択（ＡＳ）ビットを検出すべく、最大尤度（ＭＬ）対数尤度比（ＬＬＲ）ベースの検出を前記複数の空間変調ストリームに適用する段階と、
前記複数の空間変調ストリームを復号のためにそれぞれのストリームに分離すべく、多入力多出力（ＭＩＭＯ）検出を適用する段階であって、前記ＭＩＭＯ検出は検出された前記ＡＳビットに基づき、ＭＬベースの検出以外の検出を使用する、適用する段階と、
それぞれの前記ストリームを復号する段階と
を備える、方法。
【請求項１４】
復号する前記段階は、
コンスタレーションマッピング解除を実行する段階と、
ビットデインターリービングを実行する段階と
を有する、請求項１３に記載の方法。
【請求項１５】
前記ＭＩＭＯ検出は、Ｍｉｎｉｍｕｍ  Ｍｉｎ  Ｓｑｕａｒｅ  Ｅｒｒｏｒ（ＭＭＳＥ）検出またはＺｅｒｏ  Ｆｏｒｃｉｎｇ（ＺＦ）検出を使用して実行される、請求項１３または１４に記載の方法。
【請求項１６】
前記ＡＳビットの前記ＭＬ  ＬＬＲ検出は、受信された前記複数の空間変調ストリームと二位相偏移キーイング（ＢＰＳＫ）コンスタレーションとの間でユークリッド距離計算を使用して実行される、請求項１３から１５のいずれか一項に記載の方法。
【請求項１７】
メモリと、前記メモリに結合された処理デバイスとを備える処理システムであって、前記処理デバイスは、
アンテナ選択（ＡＳ）ビットを検出すべく、最大尤度（ＭＬ）対数尤度比（ＬＬＲ）ベースの検出を、複数の受信機アンテナで受信された複数の空間変調ストリームに適用することと、
前記複数の空間変調ストリームを復号のためにそれぞれのストリームに分離すべく、多入力多出力（ＭＩＭＯ）検出を適用することであって、前記ＭＩＭＯ検出は検出された前記ＡＳビットに基づき、ＭＬベースの検出以外の検出を使用する、適用することと、
それぞれの前記ストリームを復号することと
を行うように構成される、処理システム。
【請求項１８】
前記処理デバイスはさらに、
コンスタレーションマッピング解除を実行することと、
ビットデインターリービングを実行することと
により、前記復号を実行するように構成される、請求項１７に記載の処理システム。
【請求項１９】
前記ＭＩＭＯ検出は、Ｍｉｎｉｍｕｍ  Ｍｉｎ  Ｓｑｕａｒｅ  Ｅｒｒｏｒ（ＭＭＳＥ）検出またはＺｅｒｏ  Ｆｏｒｃｉｎｇ（ＺＦ）検出を使用して実行される、請求項１７または１８に記載の処理システム。
【請求項２０】
前記ＡＳビットの前記ＭＬ  ＬＬＲ検出は、受信された前記複数の空間変調ストリームと二位相偏移キーイング（ＢＰＳＫ）コンスタレーションとの間でユークリッド距離計算を使用して実行される、請求項１７から１９のいずれか一項に記載の処理システム。
【手続補正２】
【補正対象書類名】明細書
【補正対象項目名】００２０
【補正方法】変更
【補正の内容】
【００２０】
他の態様によると、各々が受信機の複数のアンテナを介して受信された複数の空間変調ストリームを処理する方法は、
アンテナ選択（ＡＳ）ビットを検出すべく、最大尤度（ＭＬ）対数尤度比（ＬＬＲ）ベースの検出を空間変調ストリームに適用する段階と、
空間変調ストリームを復号のためにそれぞれのストリームに分離すべく、多入力多出力（ＭＩＭＯ）検出を適用する段階であって、ここでＭＩＭＯ検出は検出されたＡＳビットに基づき、ＭＬベースの検出以外の検出を使用する、適用する段階と、
それぞれのストリームを復号する段階と
を含む。
【手続補正３】
【補正対象書類名】明細書
【補正対象項目名】００２４
【補正方法】変更
【補正の内容】
【００２４】
追加的な態様によると、処理システムは、メモリと、メモリに結合された処理デバイスとを含む。  処理デバイスは、
アンテナ選択（ＡＳ）ビットを検出すべく、最大尤度（ＭＬ）対数尤度比（ＬＬＲ）ベースの検出を、複数の受信機アンテナで受信された複数の空間変調ストリームに適用することと、
空間変調ストリームを復号のためにそれぞれのストリームに分離すべく、多入力多出力（ＭＩＭＯ）検出を適用することであって、ここでＭＩＭＯ検出は検出されたＡＳビットに基づき、ＭＬベースの検出以外の検出を使用する、適用することと、
それぞれのストリームを復号することと
を行うように構成される。
【手続補正４】
【補正対象書類名】明細書
【補正対象項目名】００４１
【補正方法】変更
【補正の内容】
【００４１】
処理システム２００は、プロセッサ、マイクロプロセッサ、特定用途向け集積回路（ＡＳＩＣ）、フィールドプログラマブルゲートアレイ（ＦＰＧＡ）、専用論理回路、またはそれらの組み合わせなどの、１または複数の処理デバイス２０２を含み得る。処理システム２００は、１または複数の入力／出力（Ｉ／Ｏ）インタフェース２０４を任意選択的に含み、１または複数の任意の入力デバイス２１４および／または出力デバイス２１６を使用してインタフェースすることを可能にし得る。処理システム２００は、ネットワーク（例えば、イントラネット、インターネット、Ｐ２Ｐネットワーク、ＷＡＮおよび／またはＬＡＮ）または他のノードとの有線通信または無線通信のための１または複数のネットワークインタフェース２０６を含み得る。ネットワークインタフェース２０６は、ネットワーク内および／またはネットワーク間の通信のための有線リンク（例えば、Ｅｔｈｅｒｎｅｔ（登録商標）ケーブル）および／または無線リンク（例えば、１または複数のアンテナ）を含み得る。
【手続補正５】
【補正対象書類名】明細書
【補正対象項目名】００４７
【補正方法】変更
【補正の内容】
【００４７】
示された実施形態において、送信機ブロックの第１のグループ３０２は、以下のブロックにより表される動作プロセスを含む：
ａ）スクランブラ（ブロック３０６）：入力データを（入力インタリーブビットストリームＩ）スクランブルして、０ｓまたは１ｓの長いシーケンスの可能性を減少させる。
ｂ）エンコーダパーサ（ブロック３０８）：バイナリ畳み込み符号化（ＢＣＣ）符号化が使用されるとき、ＮＥＳ（データフィールドのＢＣＣエンコーダの数）間で、スクランブルされたビットを逆多重化する。ＢＣＣエンコーダは、ラウンドロビン方式で、以下にも説明されるように、アンテナ選択（ＡＳ）ビットとして使用するデータビットをスクランブルされたビットから分離する：
ｃ）ＦＥＣエンコーダ（ブロック３１０）：データを符号化して、誤り訂正を可能にする（ＦＥＣエンコーダは、ＢＣＣエンコーダに続いてパンクチャリングデバイスを含んでもよく、または、低密度パリティ検査（ＬＤＰＣ）エンコーダを含んでもよい。）
ｄ）ストリームパーサ（ブロック３１２）は、ＦＥＣエンコーダ３１０の出力を、異なるインターリーバおよびマッパに送信される空間ストリームに分割する。
ｅ）インターリーバ（ブロック３１４）：各空間ストリームのビットをインタリーブ（ビットの順序を変化させる）させて、隣接するノイズが入ったビットの長いシーケンスを防止する（インタリービングは、ＢＣＣ符号化が使用される場合にのみ適用され得る。）
ｆ）コンスタレーションマッパ（ブロック３１６）：各空間ストリームにおけるビットのシーケンスをコンスタレーションポイント（複素数）にマッピングする。
ｇ）時空間ブロック符号化（ＳＴＢＣ）エンコーダ（ブロック３１８）：時空間ブロックコードを使用してコンスタレーションポイントをＮｓｓ個の空間ストリームからＮｓｔｓ個の時空間ストリームに拡散する（ＳＴＢＣは、Ｎｓｓ＜Ｎｓｔｓである場合にのみ使用され得る）。
ｈ）循環シフトダイバーシティ（ＣＳＤ）（ブロック３２０）：意図しないビームフォーミングを防止すべく、時空間ストリームごとに循環シフトを挿入する。
ｉ）空間マッパ（ブロック３２２）：時空間ストリームを送信チェーンにマッピングする。
ｊ）逆離散フーリエ変換（ＩＤＦＴ）（ブロック３２４）：コンスタレーションポイントのブロックを時間ドメインブロックに変換する。
ｋ）ガードインターバル（ＧＩ）の挿入およびウィンドウ（ブロック３２６）：ＧＩ挿入は、シンボルにＧＩをそれ自体の円形拡張プリペンドし、ウィンドウイングは、各シンボルのエッジを任意選択的に円滑化して、スペクトル減衰を増加させる。
ｌ）アナログおよびＲＦ（ブロック３２８）：サブキャリアをキャリア周波数にアップコンバートし、結果として得られるアップコンバートされたストリームをそれぞれの送信アンテナＴＡ（１）からＴＡ（ＮＴ）（一般的に送信アンテナＴＡまたは送信アンテナＴＡ（ｉ）と称される）を介して無線チャネルに送信する。
【国際調査報告】
2021516506.tif 000019
2021516506.tif 000020
2021516506.tif 000021
2021516506.tif 000022